(57)【要約】【課題】 汎用性があり、しかも、保管コストおよび保管スペースの削減が可能な継手付き流体制御器を提供する。【解決手段】  継手12と流体制御器本体23との間に、両者を連通させる通路部材14が介在されている。継手12と通路部材14とが溶接により結合されている。通路部材14と流体制御器本体23とがねじ部材26により着脱可能に結合されている。【選択図】    図１
2007046697.tif 000002
【特許請求の範囲】
【請求項１】
継手付きの高圧容器に取り付けられかつ高圧容器の継手部に対応する継手を有している継手付き流体制御器であって、継手と流体制御器本体との間に、両者を連通させる通路部材が介在されており、継手と通路部材とが溶接により結合され、通路部材と流体制御器本体とがねじ部材により着脱可能に結合されていることを特徴とする継手付き流体制御器。
【発明の詳細な説明】
【技術分野】
【０００１】
この発明は、ガスボンベ等の高圧容器に取り付けられて流体通路の開閉や流量調整などを行う継手付き流体制御器に関する。
【背景技術】
【０００２】
ガスボンベ（高圧容器）に取り付けられるバルブ（流体制御器）として、特許文献１には、ボンベ側に設けられた接続部材にめねじを形成するとともに、バルブ本体におねじを形成し、両者をねじ合わすことによって、ボンベとバルブとを結合するものが開示されている。
【０００３】
通常、市販のボンベには、バルブとの接続のための継手が設けられているが、上記特許文献１のものでは、この継手を使用せずに、ボンベ側の構成自体を変更するものであり、既存のボンベにバルブを接続できるという汎用性の点で好ましいものではなかった。
【０００４】
汎用性の点からすると、例えば、図２に示すように、ガスボンベの継手部に対応する継手(12)を有する継手付き流体制御器(31)であって、継手(12)のスリーブ(21)とバルブ(32)の本体(33)とが溶接(W)により結合されているものが好ましいものとなる。
【特許文献１】特開２００５−１６７０９号公報
【発明の開示】
【発明が解決しようとする課題】
【０００５】
上記図２に示した継手付き流体制御器(31)によると、例えば、着脱を繰り返すことにより、その継手(12)にシール不良が生じた場合、継手付き流体制御器(31)ごとの交換が必要であり、交換用の継手付き流体制御器の保管にコストがかかる上に、交換部品のための保管スペースに限りがあるため、交換必要時に交換用の在庫がないという問題が発生する可能性があった。
【０００６】
この発明の目的は、汎用性があり、しかも、保管コストおよび保管スペースの削減が可能な継手付き流体制御器を提供することにある。
【課題を解決するための手段】
【０００７】
この発明による継手付き流体制御器は、継手付きの高圧容器に取り付けられかつ高圧容器の継手部に対応する継手を有している継手付き流体制御器であって、継手と流体制御器本体との間に、両者を連通させる通路部材が介在されており、継手と通路部材とが溶接により結合され、通路部材と流体制御器本体とがねじ部材により着脱可能に結合されていることを特徴とするものである。
【０００８】
継手および流体制御器としては、公知（市販）のものを使用することができる。
【０００９】
流体制御器は、例えば、開閉弁、レギュレータ（圧力調整器）などとされるが、減圧弁、安全弁などと称されている種々の弁、その他流体の流れを制御・計測する種々の機器を使用することができる。
【００１０】
高圧容器（ガスボンベ）側には、通常、おねじ付きの継手が設けられており、これに対応するように、流体制御器側の継手は、スリーブにナットが回転自在に嵌められたものとされ、そのスリーブの端部が通路部材の端部に溶接される。高圧容器側の継手部は、おねじ付きの継手に限られるものではなく、流体制御器側の継手は、高圧容器側の継手部に対応して、種々変更することができる。
【００１１】
通路部材の形状は、直方体または略直方体とされ、その通路は、直線状とされる。
【００１２】
着脱可能な通路部材と流体制御器本体との接続部には、ガスケットが介在され、そのシール性が向上させられることが好ましい。
【発明の効果】
【００１３】
この発明の継手付き流体制御器によると、着脱を繰り返すことにより、その継手にシール不良が生じた場合、流体制御器はそのまま使用することにして、継手およびこれに溶接された通路部材だけを交換することが可能であり、交換用備品の保管コストおよび保管スペースの削減が可能となる。
【発明を実施するための最良の形態】
【００１４】
この発明の実施の形態を、以下図面を参照して説明する。
【００１５】
図１は、この発明による継手付き流体制御器(11)の１実施形態を示している。
【００１６】
継手付き流体制御器(11)は、ガスボンベ等の高圧容器(1)に取り付けられるもので、高圧容器(1)の継手部(2)の形状に対応する構成とされた継手(12)と、高圧容器(1)内の流体の流れを制御する流体制御器(13)と、継手(12)と流体制御器(13)の本体(23)との間に介在させられて両者を連通させる通路部材(14)とからなる。
【００１７】
高圧容器(1)の継手部(2)には、おねじ部(2a)が形成されており、継手(12)は、フランジ(21a)付きのスリーブ(21)に袋ナット(22)が回転自在に嵌められたものとされている。
【００１８】
流体制御器(13)は、いわゆる開閉弁で、流体流入通路(23a)および流体排出通路(23b)が形成されている本体(23)と、この本体内通路(23a)(23b)を開閉・遮断するアクチュエータ(24)とからなる。
【００１９】
通路部材(14)は、略直方体状のブロック(14a)に流体通路(14b)が形成されたもので、流体通路(14b)は、継手(12)のスリーブ(21)内流体通路と流体制御器(13)の流体流入通路(23a)とを直線状に接続している。
【００２０】
通路部材(14)の継手(12)に突き合わせられる面には、継手(12)のスリーブ(21)と同じ径の短円筒状突出部(25)が形成されており、この短円筒状突出部(25)とスリーブ(21)とが溶接(W)されることにより、継手(12)と通路部材(14)とが結合されている。
【００２１】
通路部材(14)と流体制御器本体(23)とは、４本のねじ部材(26)により結合されている。すなわち、通路部材(14)に、その通路(14b)方向にのびるボルト挿通孔が通路(14b)を囲むように形成されるとともに、流体制御器本体(23)の通路部材(14)に突き合わせられる面に、ボルト挿通孔に対応するめねじが形成され、ねじ部材(26)としての六角孔付きボルトが通路部材(14)を貫通して流体制御器本体(23)のめねじにねじ込まれることにより、通路部材(14)と流体制御器本体(23)とが容易に着脱できるように結合されている。
【００２２】
通路部材(14)の流体制御器本体(23)に突き合わせられる面および流体制御器本体(23)の通路部材(14)に突き合わされる面には、ガスケット収納用凹所(14c)(23c)がそれぞれ形成されており、流体制御器本体(23)と通路部材(14)とは、この凹所(14c)(23c)に収められたガスケット(27)を介在させた状態で突き合わせられている。
【００２３】
この発明による継手付き流体制御器(11)は、図１に示されているように、継手(12)、流体制御器(13)および通路部材(14)が結合された状態で、継手(12)の袋ナット(22)を回転させることによって、高圧容器(1)の継手部(2)に着脱される。着脱を繰り返した場合、袋ナット(22)とスリーブ(21)とのかじりにより締付け不可、ガスケット(27)の変形による装着不可などの不良が継手(12)に生じることがある。この場合には、通路部材(14)と流体制御器本体(23)とを結合している４本のねじ部材(26)を外し、流体制御器(13)はそのまま使用することにして、継手(12)およびこれに溶接された通路部材(14)だけを交換することができる。図２に示した継手付き流体制御器(31)では、継手(12)に不良が生じた場合、流体制御器(32)を含む全体の交換が必要であり、継手不良が発生した際に備える交換用備品が相対的に大きいため、コストおよび保管スペースの都合上、多く保管しておくことができない（２〜３台程度の保管が限度）ことになり、交換用備品がないことによりガスの供給ができなくなるという問題が起こりうるのに対し、この発明による継手付き流体制御器(11)では、継手(12)のみの交換が可能となり、交換用備品がコンパクトでかつ低コストなものとなり、保管数の増加が可能となるため、交換用備品がないことによりガスの供給ができなくなるという問題が防止され、ガスの安定供給が可能となる。
【図面の簡単な説明】
【００２４】
【図１】この発明による継手付き流体制御器の１実施形態を示す一部を切り欠いた正面図である。
【図２】従来の継手付き流体制御器を示す一部を切り欠いた正面図である。
【符号の説明】
【００２５】
(1)           高圧容器（高圧容器）
(2)           高圧容器の継手部
(11)          継手付き流体制御器
(12)          継手
(13)          流体制御器
(14)          通路部材
(23)          流体制御器本体
(26)          六角孔付きボルト（ねじ部材）
(W)           溶接
【図１】
2007046697.tif 000003
【図２】
2007046697.tif 000004